(57)【要約】【課題】部品管理が容易で、収納スペースも少なくでき、必要時に迅速に準備することができ、また、一人作業でもドアの外面側から取付け・取り外しを容易に素早く行うことができるドア用防護パネルを提供する。【解決手段】ドアの外面にあてがわれるパネル本体と、パネル本体の上辺側に取り付けられ、ドアの上辺部に着脱自在に係止されてパネル本体を吊支状に支持する上辺係止部材と、パネル本体の側辺側に取り付けられ、パネル本体をドアの外面に密着状にあてがった状態でパネル本体とドアの側辺部を接合離脱自在に連結する側辺接合部材と、を備えた構成とし、ドアの外面側からでも、パネル本体背面全体をドアの外面に密着状にあてがった状態で、パネル本体をドアの外面に、接合離脱自在にとりつける。【選択図】図６ 
0003110681.tif 000002
【実用新案登録請求の範囲】
【請求項１】
ドアを外面側から防護するドア用防護パネル装置であって、
ドアの外面にあてがわれるパネル本体と、
パネル本体の上辺側に取り付けられ、ドアの上辺部に着脱自在に係止されてパネル本体を吊支状に支持する上辺係止部材と、
パネル本体の側辺側に取り付けられ、パネル本体をドアの外面に密着状にあてがった状態でパネル本体とドアの側辺部を接合離脱自在に連結する側辺接合部材と、を備えたことを特徴とするドア用防護パネル装置。
【請求項２】
パネル本体であって側辺接合部材の対向側辺に、ドアの他の側辺部に当接する規制部材を設けたことを特徴とする請求項1記載のドア用防護パネル装置。
【請求項３】
側辺接合部材及び／または規制部材は、パネル本体に対する配置状態をある程度移動し得るようにルーズに取り付けられ、必要に応じてパネル本体とドアを緊結接合する緊結部材からなることを特徴とする請求項２記載のドア用防護パネル装置。
【請求項４】
少なくとも上辺係止部材と側辺接合部材とは、ドアのサッシ突辺に係止あるいは接合されてなる請求項１ないし３のいずれかに記載のドア用防護パネル装置。
【請求項５】
上辺係止部材と側辺接合部材と規制部材は、突出片からパネル本体の中央側に向けて曲折される曲折部を有するフック部材からなる請求項２ないし３のいずれかに記載のドア用防護パネル装置。
【考案の詳細な説明】
【技術分野】
【０００１】
本考案は、ドアに設けられたガラス部を防護するパネル構造に関するものである。
【背景技術】
【０００２】
従来、台風等の強風により飛来してきた屋根瓦等がガラス戸を破り、室内に飛び込んで器物を破壊し、あるいは、飛来物や割れたガラスで住人が負傷し、また、破損部から吹き込む風によって室内が膨圧し、屋根を吹き上げたり、といった事故が発生するという問題があった。一方、防犯上においてもガラス戸の場合には、ガラスを割って内部に侵入され盗難に遭いやすい等の問題があった。これらの問題に対して、スライド式雨戸あるいはシャッタ式雨戸等を設置して対応するのが一般的である。しかし、住宅によっては、窓や扉の住宅壁面におけるスペース上の理由や、住宅構造上の理由、あるいは、美観上の理由等によって、これらの雨戸を設置していないという問題があった。これらの問題に対して、例えば、特許文献１による提案がされている。
【特許文献１】特開平８−５３９８２号
【考案の開示】
【考案が解決しようとする課題】
【０００３】
しかしながら、この特許文献１の肉付け雨戸の取付け構造によれば、飛来物が室内に飛び込んでくることは防止できるが、室内側から装着する構造であることから、ガラス自体の損壊は免れないという問題があった。また、特許文献１の雨戸の取付けをする際には、窓サッシ枠の凹所に雨戸を嵌め込んだ状態で、雨戸を固定するための取付けステーを窓サッシ枠の側溝やレール溝に挿入するため、この間、雨戸が手前に倒れてこないように押さえておく必要があり、二人作業となって人手がかかるという問題がある。また、特許文献１によれば、複数の雨戸と複数の取付けステー等が必要となるので、取付け前に雨戸の準備のみならずステー等を捜して準備する必要があり、また、ステー毎に設けられた固定用ビスをそれぞれネジ込む作業が必要となるため、準備から取付けまでに時間がかかり、台風等の緊急時にすみやかに取付けることができないという問題があった。また、パネルの他にステー等収納スペースが必要となる問題、部品を紛失しやすい問題等の部品管理上の問題があった。さらに、このような側溝やレール溝を必要としない、例えば開き戸等のドアには取付けることができないという問題があった。
【０００４】
本考案は上記従来の課題に鑑みてなされたものであり、その一つの目的は、部品管理が容易で、収納スペースも少なくでき、必要時に迅速に準備することができるドア用防護パネルを提供することにある。また、本考案の他の目的は、ドアの改造等を行うことなく、一人作業でもドアの外面側から取付け・取り外しを容易に素早く行うことができるドア用防護パネルを提供することにある。
【課題を解決するための手段】
【０００５】
上記の目的を達成するために、本考案は、ドア１５を外面側から防護するドア用防護パネル装置であって、ドアの外面１７にあてがわれるパネル本体１０と、パネル本体１０の上辺１３側に取り付けられ、ドアの上辺部１９に着脱自在に係止されてパネル本体１０を吊支状に支持する上辺係止部材１２と、パネル本体の側辺３８ｂ側に取り付けられ、パネル本体１０をドアの外面１７に密着状にあてがった状態でパネル本体１０とドアの側辺部１８ｂを接合離脱自在に連結する側辺接合部材１６と、を備えた構成としている。
【０００６】
また、その際に、パネル本体１０であって側辺接合部材１６の対向側辺３８ａに、ドアの他の側辺部１８ａに当接する規制部材１４を設けてもよいし、側辺接合部材１６及び／または規制部材１４は、パネル本体１０に対する配置状態をある程度移動し得るようにルーズに取り付けられ、必要に応じてパネル本体１０とドアを緊結接合する緊結部材５０からなる構成としてもよい。さらに、少なくとも上辺係止部材１２と側辺接合部材１６とは、ドアのサッシ突片３４ａ、３４ｃに係止あるいは接合されていてもよい。
【０００７】
また、上辺係止部材１２と側辺接合部材１６と規制部材１４は、突出片３０からパネル本体１０の中央側に向けて曲折される曲折部３２を有するフック部材２６からなる構成としてもよい。
【考案の効果】
【０００８】
本考案の装置によれば、ドアを外面側から防護するドア用防護パネル装置であって、ドアの外面にあてがわれるパネル本体と、パネル本体の上辺側に取り付けられ、ドアの上辺部に着脱自在に係止されてパネル本体を吊支状に支持する上辺係止部材と、パネル本体の側辺側に取り付けられ、パネル本体をドアの外面に密着状にあてがった状態でパネル本体とドアの側辺部を接合離脱自在に連結する側辺接合部材と、を備えた構成であるから、常時はパネル本体にこれらの部材を取付けた状態で保管をすることができるので、収納スペースはパネル本体分の収納スペースだけで足り、部品管理が容易となる。また、必要時にはパネル本体ごと所要の場所に持って行けば足りるので、緊急時でも迅速に準備をすることができる。また、ドアの上辺部にドア用防護パネルを吊示状に支持して密着状にあてがった状態で側辺接合部を接合離脱自在に連結できるので、一人作業でもパネル本体の取り付け・取り外しを行うことができる。
【０００９】
また、パネル本体であって側辺接合部材の対向側辺に、ドアの他の側辺部に当接する規制部材を設けた構成であるから、ドアの上辺部にドア用防護パネルを吊示状に支持して密着状にあてがって、規制部材でパネル本体の横位置決めをした状態で、側辺接合部材で連結すればよく、一人作業でも容易に素早く取付けることができる。
【００１０】
また、側辺接合部材及び／または規制部材は、パネル本体に対する配置状態をある程度移動し得るようにルーズに取り付けられ、必要に応じてパネル本体とドアを緊結接合する緊結部材からなる構成であるから、ドアの外面側からパネル本体と密着状にあてがった状態で、側辺接合部材及び／または規制部材をある程度動かすことで、ドアの両側辺部にパネル本体の両側辺部を確実に連結することができ、ドアの外面からの着脱自在な取り付けを実効化し得る。また、ドアにパネル本体をあてがった際にある程度の寸法差や隙間があっても、その差を吸収して取り付けることができる。
【００１１】
また、少なくとも上辺係止部材と側辺接合部材とは、ドアのサッシ突片に係止あるいは接合されてなる構成であるから、ドアの改造等を行うことなく、ドアの外面側から脱着自在に、本発明のドア用防護パネルを取付けることができる。
【００１２】
上辺係止部材と側辺接合部材と規制部材は、突出片からパネル本体の中央側に向けて曲折される曲折部を有するフック部材からなる構成であるから、パネル本体をドアのサッシ突片に確実に連結できるとともに、低コストで製作することができる。
【考案を実施するための最良の形態】
【００１３】
以下、添付図面を参照しつつ本考案を実施するための最良の形態について説明する。本実施形態において、ドア用防護パネル装置は、パネル本体１０と、上辺係止部材１２と、規制部材１４と、側辺接合部材１６と、を含む。本実施形態において、図６のように、パネル本体１０は、ドアの外面１７にあてがわれてドア１５を防護する防護手段である。図１および図６において、パネル本体１０は、ドア１５の幅と略同じ幅で、ドア１５の上側半分程度の部分を覆う大きさの矩形状板材で形成される。そして、パネル本体１０をドアにあてがって接合した場合に、ドアに設けられた蝶番２０と当接する部分に切り欠き１１が設けられている。パネル本体１０の形状は、本実施形態の形状に限られることはなく、少なくともドアに設けられたガラス部分を覆って飛来物等から防護し得る面積を有し、台風等による飛来物が貫通してガラスを割ることがない厚さを有していればよい。したがって、ドアの外面１７全体を覆う程の大きさとしてもよい。また、本実施形態において、パネル本体は、木製で形成されるが、飛来物等が貫通しない程度の強度があれば合成樹脂製、あるいは金属製であってもよい。
【００１４】
本実施形態において、上辺係止部材１２は、パネル本体１０をドアの上辺部に係止するための係止手段である。図１ないし図５に示すように、パネル本体１０の上辺部であって、それぞれの側辺３８ａ、３８ｂ寄り位置に、２組の上辺係止部材１２がそれぞれ設けられている。本実施形態において、上辺係止部材１２は、一枚の短冊状長板材の長辺の一方の端を、断面略コ字状に曲折して形成されており、固定用板材２４と、固定用板材２４に連結固定されたフック部材２６と、からなる。図１および図４に示すように、固定用板材２４は上辺係止部材１２をパネル本体１０に固定するための固定部材である。図１に示すように、固定用板材２４は該長板材のうち、曲折させた側と反対の端から曲折端までの板材で形成される。そして、固定用板材２４は、パネル本体１０にネジ２８で固定される。
【００１５】
本実施形態において、フック部材２６は、一枚の短冊状長板材の一方の端を折曲して固定用板材２４と一体に設けられており、該フック部材２６は突出片３０と、曲折部３２とから形成される。本実施形態において、図２および図８のように突出片３０は、ドア上辺部のサッシ突片３４ａの先端と当接し、主にパネル本体１０の重量を支持する部位である。図１ないし図５に示すように、突出片３０は、固定用板材２４に接続されて、パネル本体１０の厚さよりやや長い長さで、固定用板材からパネル本体背面側に向かって突出するように折曲して形成される。
【００１６】
本実施形態において、曲折部３２は、パネル本体１０をドア上辺部に係止させた際に、パネル本体１０が手前にずれて落下しないように係止するための係止部位である。図４、図５、図８に示すように、曲折部３２は、該長板材の曲折側先端において突出片３０から、パネル本体１０の略厚さに相当する長さで、中央側に向けて曲折されて形成される。したがって、パネル本体１０をドアに密着状にあてがって上から下に移動させることにより該突出片３０と曲折部３２が、図８に示すように、ドア上辺部のサッシ突片３４ａと係止し、吊支状に支持できる。また、係止をはずす際には、パネル本体１０を持ち上げればよく、脱着自在に係止される。
【００１７】
本実施形態において、上辺係止部材１２は、金属製で形成されるが、ドアのサッシ突片に係止させることができ、また、該フック部材にパネル本体の重量がかかっても変形しない程度の剛性があれば、合成樹脂製であってもよい。また、上辺係止部材の形状は、短冊状長板材の一方の端を断面略コ字状に曲折して形成されるが、パネル本体をドア上辺のサッシ突片に係止させることができ、吊支状に支持できれば、例えば、断面略Ｕ字状等の所要の形状であってもよい。本実施形態において、パネル上辺には、該部材を２個設けているが、パネル本体をドア上辺に吊支状に支持できれば、１個でもよいし、２個以上であってもよい。
【００１８】
本実施形態において、規制部材１４は、パネル本体１０をドアの上辺に吊支状に支持した後に、ドア外面１７に対する横方向の位置を決める、横方向位置決め手段である。なお、規制部材１４は、固定用板材２４と、フック部材２６と、から形成されるが、それぞれの形状、大きさは上述の上辺係止部材１２と略同じであり、その詳細な説明は省略する。図１，２，３，５に示すように、規制部材１４を、パネル本体１０の正面視左側の側辺３８ａの下端側近傍に、固定用板材２４の長辺をパネル本体１０の底辺に平行にして、その突出片３０がパネル本体１０の側辺先端から背面側に突出する態様で固定して設けている。したがって、パネル本体１０をドア外面１７に取付ける際には、図７に示すように、パネル本体１０の両側辺３８ａ、３８ｂが鎖線の位置となるように、パネル本体１０をドアに密着状にあてがった後に、矢示ｆのように動かした場合に、該規制部材１４の突出片３０がドアの側辺部１８ａに当接することで正面視右方向の動きが規制され、横方向の位置決めをすることができる。また、曲折部３２とドアの側面のサッシ突片３４ｂとを係止させることにより、取付け作業中にパネル本体１０を押さえておかなくても、風でパネル本体が手前にあおられることもなく、一人作業でもドア外面への取り付け作業を容易におこなうことができる。
【００１９】
本実施形態において、規制部材１４は、金属製で形成されるが、パネル本体の横方向の動きを規制できる程度の剛性があれば、合成樹脂製であってもよい。また、本実施形態において、規制部材１４の形状は、短冊状長板材の一方の端を断面略コ字状に曲折して形成されるが、パネル本体の横方向の動きを規制できれば、断面略Ｌ字状であっても、断面略Ｕ字状であってもよい。
【００２０】
本実施形態において、側辺接合部材１６は、パネル本体１０とドアの側辺部を連結する連結手段であり、本実施形態では、例えば緊結部材５０で形成される。本実施形態において、緊結部材５０は、固定部板材と、フック部材２６と、雌雄ネジ部材４２と、取り付け開孔部４４と、で形成される。なお、固定用板材２４およびフック部材２６は上述の上辺係止部材１２と同じ部材なので、その詳細な説明は省略する。本実施形態において、雌雄ネジ部材４２は、緊結部材５０を必要に応じてパネル本体１０に固定するための固定部材である。図５に示すように、ある程度のネジ長を有する雄ネジ部材４２ａを、その固定用板材２４の中央近傍において、フック部材２６の突出片３０と反対側に該板材から垂直に突出させて、固定用板材２４と一体に設けている。また、本実施形態において、取り付け開孔部４４は、該雄ネジ部材４２ａを遊挿して、緊結部材５０をパネル本体１０にとりつけるための取り付け孔である。図１、図３および図５に示すように、上述した規制部材１４が設けられた側辺と対向する側辺の下端側近傍に、該雄ネジ部材４２ａ径よりやや大きい径の取り付け開孔部４４を設けている。よりくわしくは、該開孔部に雄ネジ４２ａ部材を遊挿し、固定用板材２４をパネル本体１０の底辺に平行にして、該フック部材２６がパネル本体１０の正面視右側辺に位置するように、回転させた場合に、緊結部材５０のフック部材２６がパネル本体１０の側辺先端から背面側に突出する位置に、該開孔部４４を設けている。そして、該開孔部４４に緊結部材５０の雄ネジ部材４２ａをパネル本体１０の背面側から挿通し、パネル本体１０の正面側から雌ネジ４２ｂ部材で螺合して、緊結部材５０をパネル本体１０に取付けている。
【００２１】
すなわち、図５に示すように、雌雄ネジ部材４２を緊合させない状態では、該雄ネジ部材４２ａが、該開孔部４４にルーズに軸止されているので、固定用板材２４をパネル本体１０面に平行な面を回動面として、回動させ、あるいは、パネル本体１０面に垂直方向にある程度動かすことができる。したがって、パネル本体１０をドアの外面１７に密着状にあてがった状態で、該緊結部材５０のパネル本体１０に対する配置状態をある程度移動しながら、フック部材２６をドア側辺のサッシ突片３４ｃに係止させることができる。また、緊結部材５０のフック部材２６をドア側辺のサッシ突片３４ｃに係止させた後に、雌雄ネジ部材４２を緊合させれば、パネル本体１０をドアの側辺部１８ｂにおいて緊結接合できる。さらに、雌雄ネジ４２部材の緊合をゆるくして、緊結部材５０をある程度移動させながらフック部材２６とドア側辺のサッシ突片３４ｃとの係止をはずせば、パネル本体１０とドア側辺部１８ｂの接合が離脱する。すなわち、該緊結部材５０によれば、パネル本体１０とドアの側辺部を必要に応じてパネル本体１０とドアを緊結接合できるとともに、接合離脱な連結とすることができる。このように、緊結部材５０を、取付け開孔部４４にルーズに軸止させることで、ドアの外面１７側からでも、パネル本体背面３６全体をドアの外面１７に密着状にあてがった状態で、パネル本体１０をドアの外面１７に、接合離脱自在にとりつけることができる。
【００２２】
本実施形態において、緊結部材５０は金属製で形成されるが、金属製に限らず、パネル本体１０をドアの側辺に緊結接合できる程度の剛性があれば、合成樹脂製であってもよい。また、本実施形態において、緊結部材５０の形状は、短冊状長板材の一方の端において断面略コ字状に曲折して形成されるが、パネル本体１０をドアの側辺に緊結接合できれば、断面略Ｕ字状等であってもよい。また、本実施形態において、取付け開孔部４４は略円形で形成されるが、やや横長の長径を有する楕円形状としてもよい。また、本実施形態においては、側辺接合部材１６のみが緊結部材５０からなるが、規制部材１４と側辺接合部材の両方とも、緊結部材で形成されていてもよい。
【００２３】
次に、本実施形態によるドア用防護パネル装置の作用について説明する。まず、図６ないし図８に示すように、パネル本体１０に設けられた上辺係止部材１２がドアの上辺部１９のある程度上側に位置して、パネル本体の側辺３８ａ、３８ｂが鎖線の位置になるように背面をドアの外面にあてがう。次に、パネル本体１０をドアに沿わせながら下方に移動させれば、パネル本体上辺１３部において設けられたフック部材２６とドア上辺部１９のサッシ突片３４ａとが係止し、ドア上辺部１９に吊支状にパネル本体１０を支持できる。次に、図７に示すように、パネル本体１０をドア外面１７にあてがった状態で矢示ｆのように動かせば、パネル本体１０の側辺に設けられた該規制部材１４の突出片３０がドアの側辺部１８ａのサッシ突片３４ｂに当接することで正面視右方向の動きが規制され、ドアに対する横方向の位置決めをすることができる。したがって、上述の上辺係止部材１２と該規制部材１４によって、パネル本体１０をドアの外面に対して所要の位置にあてがうことができる。また、規制部材１４の曲折部３２とドア側辺部１８ａのサッシ突片３４ｂとが係止して、パネル本体１０とドア外面１７との間に隙間を生じさせにくくしているので、強風中に一人作業でも密着状にあてがうことができる。
【００２４】
次に、緊結部材５０は該開孔部４４にルーズに軸止されて取付けられているので、パネル本体１０をドア外面１７に吊支状にあてがった状態では、図５の鎖線で示すように、重いフック部材２６側を下にした状態になっている。したがって、パネル本体１０をドアの外面１７に密着状にあてがった状態で、例えば、緊結部材５０に設けられた雄ネジ部材４２ａを回転させ、緊結部材５０に設けられたフック部材２６がドア側辺のサッシ突片３４ｃより正面視右側に位置した時に、パネル本体１０を突出片３０の長さだけドア側に押して、さらにドア外面１７に密着させることで、該フック部材２６の突出片３０がドア側辺のサッシ突片３４ｃに係止する。その後、パネル本体１０を正面視左方向にある程度ずらせば、曲折部３２がドア側辺のサッシ突片３４ｃに係止するので、その状態で雌ネジ部材４２ｂを回して雌雄ネジ部材４２を緊合させることによりパネル本体１０とドアを緊結接合できる。このとき、緊結部材５０をパネル本体１０面に垂直にある程度移動することができるので、ある程度ドアに変形等があってドアとパネル本体１０に隙間が生じた場合でも、その隙間を吸収してパネル本体１０とドアを緊結接合できる。また、パネル本体１０をドア外面１７から取り外すには、上述した逆の手順で行うことができ、緊結接合離脱自在な連結となっている。したがって、本考案のドア用防護パネルによれば、一人作業でもドアの外面側から取付け・取り外しを容易に素早く行うことができる。
【００２５】
以上説明した本考案のドア用防護パネル装置は、上記した実施形態のみの構成に限定されるものではなく、実用新案登録請求の範囲に記載した本考案の本質を逸脱しない範囲において、任意の改変を行ってもよい。
【産業上の利用可能性】
【００２６】
本考案のドア用防護パネル装置は、一般住宅用ドアのみならず、商業用あるいは工場用の建物のドアにいたるまで幅広く活用できる。
【図面の簡単な説明】
【００２７】
【図１】本考案の実施形態に係るドア用防護パネル装置の正面図である。
【図２】本考案の実施形態に係るドア用防護パネル装置の平面図である。
【図３】本考案の実施形態に係るドア用防護パネル装置の背面図である。
【図４】本考案の実施形態に係るドア用防護パネル装置のＡ−Ａ断面図である。
【図５】本考案の実施形態に係るドア用防護パネル装置の、背面からの斜視図である。
【図６】本考案の実施形態に係るドア用防護パネル装置の、使用状態を示す斜視図である。
【図７】本考案の実施形態に係るドア用防護パネル装置の、使用状態を示す正面図である。
【図８】本考案の実施形態に係るドア用防護パネル装置の、使用状態を示すＢ−Ｂ断面図である。
【符号の説明】
【００２８】
１０  パネル本体
１２  上辺係止部材
１４  規制部材
１６  側辺接合部材
１７  ドア外面
１９  ドア上辺部
２６  フック部材
３０  突出片
３２  曲折部
３４ａ、３４ｂ、３４ｃ  サッシ突片
３８ａ、３８ｂ  パネル本体の側辺
５０  緊結部材
【図１】
0003110681.tif 000003
【図２】
0003110681.tif 000004
【図３】
0003110681.tif 000005
【図４】
0003110681.tif 000006
【図５】
0003110681.tif 000007
【図６】
0003110681.tif 000008
【図７】
0003110681.tif 000009
【図８】
0003110681.tif 000010